(57)【要約】【課題】  コネクタを介して回路基板に接続されるハーネスの不正交換を防止する。【解決手段】  スロットマシンに搭載されるメイン制御基板３３を収容する基板ケース４０は、ケース本体部４１とケース蓋部５０を備え、ケース本体部４１にケース蓋部５０を装着して形成されるケース内部に基板側コネクタ３７を実装したメイン制御基板３３を収容する。この基板がケース内部に収容されるとケース蓋部５０に設けられた挿抜孔部５３ｂから基板側コネクタ３７が露出する。ケース蓋部５０には基板側コネクタ３７を覆うコネクタ蓋部６０が設けられ、この蓋部は、閉じられると基板側コネクタ３７に挿着されたケーブル側コネクタ３８を囲む囲繞部６４と、囲繞部６４の内部空間に連通する連通孔部６５を有し、カシメ部材５７によってケース蓋部５０に固定される。連通孔部６５はケーブル側コネクタ３８及びこれから延びるハーネスＨを通す大きさを有する。【選択図】  図３
2006263259.tif 000002
【特許請求の範囲】
【請求項１】
遊技機に取り付けられるケース本体部と、該ケース本体部に装着されるケース蓋部とを備え、前記ケース本体部に前記ケース蓋部を装着して形成されるケース内部に基板側コネクタを端部に実装した回路基板を収容し、該回路基板が前記ケース内部に収容されると前記基板側コネクタが前記ケース蓋部に設けられたコネクタ挿抜孔部を介して露出する基板ケースにおいて、
前記ケース蓋部に回動自在に設けられて前記コネクタ挿抜孔部から露出する前記基板側コネクタを覆うコネクタ蓋部を備え、
該コネクタ蓋部は、前記基板側コネクタに挿着されるケーブル側コネクタの挿抜方向に対向する対向部に設けられて前記コネクタ蓋部が閉じられると前記基板側コネクタに挿着されたケーブル側コネクタを囲む囲繞部と、前記コネクタ蓋部の側板に開口して設けられて前記囲繞部に連通して前記ケーブル側コネクタ及び該ケーブル側コネクタから延びるケーブルを通す連通孔部とを有することを特徴とする請求項１に記載の基板ケース。
【請求項２】
前記連通孔部は、前記コネクタ蓋部が閉じられた状態で前記基板側コネクタに挿着されたケーブル側コネクタからケーブルが延出する側の該ケーブル側コネクタの端部周辺に開口していることを特徴とする請求項１に記載の基板ケース。
【請求項３】
前記コネクタ蓋部は、結合手段を介して前記ケース蓋部に固定されることを特徴とする請求項１又は２に記載の基板ケース。
【発明の詳細な説明】
【技術分野】
【０００１】
本発明は、基板ケースに関し、さらに詳細には、遊技機内に取り付けられてケース内部に収容された回路基板に実装された基板側コネクタにケーブル側コネクタを接続可能な基板ケースに関する。
【背景技術】
【０００２】
従来より、パチンコやスロットマシンには、各種の基板が実装されている。例えば、遊技の進行等を制御しつつ抽選等を行うメイン制御基板や、音の出力やランプ等の点灯等の演出を制御するサブ制御基板や、電源の供給制御を行う電源制御基板等がある。
【０００３】
パチンコやスロットマシンでは、正規の基板やＲＯＭ以外のものが使用されると、遊技機の出球率が正規の値と異なる値となって公正な遊技の提供ができなくなるので、正規以外の基板やＲＯＭの使用を禁止する必要がある。そこで、例えば、メイン制御基板やサブ制御基板は、一旦封印されると、開封できない基板ケース内に収容されている。一方、メイン制御基板と、サブ制御基板及び電源制御基板との間は、ハーネスによって電気的に接続され、電気信号の送受信や電源の供給が可能になっている。
【０００４】
これら基板間の電気的接続は、一般的にコネクタによって行われる（特許文献１参照）。この特許文献１に記載のコネクタは、図５（斜視図）に示すように、基板側に実装された基板側コネクタ７０と、基板側コネクタ７０に挿着可能なケーブル側コネクタ８０とを有して構成される。基板側コネクタ７０は、内部に空間部を形成して一端側が開口した基板側本体部７１と、空間部内に配設された複数の基板側電極７２と、基板側本体部７１の外面に形成された係合部７３とを有してなる。一方、ケーブル側コネクタ８０は、基板側コネクタ７０の空間部に嵌挿可能なケーブル側本体部８１と、このケーブル側本体部８１に装着されて対応する基板側電極７２と接触する複数のケーブル側端子と、ケーブル側本体部８１の外面に設けられて係合部７３に係止可能なロック部材８２とを有してなる。
【０００５】
基板側コネクタ７０を実装した回路基板は、端部にコネクタ連通孔部を有した基板ケースに収容される。基板側コネクタ７０はコネクタ連通孔部を介して露出し、この孔部を介して基板側コネクタ７０にケーブル側コネクタ８０が挿着される。
【０００６】
【特許文献１】特開２００３−３２５９１１号公報（図１０〜図１２参照）
【発明の開示】
【発明が解決しようとする課題】
【０００７】
前述した特許文献１に記載の基板側コネクタを収容する基板ケースは、基板側コネクタがコネクタ連通孔部を介して露出するので、基板側コネクタに対するケーブル側コネクタの挿抜操作が容易である一方、ケーブル側コネクタを基板側コネクタから抜脱して正規以外の部品が接続されたハーネスと交換される虞がある。そして、このような不正なハーネスの交換が行われると、遊技機の出球率が正規の値と異なる値となって、公正な遊技の提供ができなくなるという問題が発生する。
【０００８】
そこで、ハーネスを、コネクタを介さずに直接に回路基板に半田付け等して接続すれば、ハーネスの不正交換を高い抑止力を持って防止することができる。しかしながら、ハーネスを回路基板に直接に半田付け等する作業は煩わしい。また基板ケース内に回路基板を設置した後にハーネスを接続した方が、製造作業の作業性は良い。このため、基板間をハーネスで接続する場合、ハーネスの先端部を基板上に直接固定するよりコネクタを用いて接続して、基板のみを取り外すことができるようにすることが好ましい。
【０００９】
本発明は、コネクタを介して回路基板に接続されるハーネスの不正交換を防止することができる基板ケースが求められており、このような要望に応える基板ケースを提供することを目的とする。
【課題を解決するための手段】
【００１０】
このような課題を解決するため、本発明は、遊技機（例えば、実施形態におけるスロットマシン１）に取り付けられるケース本体部と、該ケース本体部に装着されるケース蓋部とを備え、ケース本体部にケース蓋部を装着して形成されるケース内部に基板側コネクタを端部に実装した回路基板（例えば、実施形態におけるメイン制御基板３３）を収容し、該回路基板がケース内部に収容されると基板側コネクタがケース蓋部に設けられたコネクタ挿抜孔部を介して露出する基板ケースにおいて、ケース蓋部に回動自在に設けられてコネクタ挿抜孔部から露出する基板側コネクタを覆うコネクタ蓋部を備え、該コネクタ蓋部は、基板側コネクタに挿着されるケーブル側コネクタの挿抜方向に対向する対向部（例えば、実施形態における天板部６０ａ）に設けられてコネクタ蓋部が閉じられると基板側コネクタに挿着されたケーブル側コネクタを囲む囲繞部と、コネクタ蓋部の側板に開口して設けられて囲繞部に連通してケーブル側コネクタ及び該ケーブル側コネクタから延びるケーブルを通す連通孔部とを有することを特徴とする。
【００１１】
この発明によれば、ケース蓋部に基板側コネクタを覆うコネクタ蓋部を回動自在に設け、該コネクタ蓋部は、基板側コネクタに挿着されたケーブル側コネクタを囲む囲繞部と、コネクタ蓋部の側板に開口して囲繞部に連通してケーブル側コネクタ及びこれから延びるケーブルを通す連通孔部とを有することにより、基板側コネクタにケーブル側コネクタが挿着された状態でコネクタ蓋部が閉じられると、ケーブル側コネクタは囲繞部によって囲まれる。このため、ケーブル側コネクタを基板側コネクタから抜脱しようとすると、ケーブル側コネクタが囲繞部のいずれかの部分に当接して、ケーブル側コネクタの抜脱を規制する。一方、コネクタ蓋部が閉じられた状態で連通孔部からケーブル側コネクタを挿入してこれを基板側コネクタに挿着しようとしても、囲繞部がケーブル側コネクタの挿入を規制する。つまり、コネクタ蓋部が閉じられた状態では、基板側コネクタからケーブル側コネクタを抜脱したり、基板側コネクタにケーブル側コネクタを挿着したりことが規制される。このため、ケーブル側コネクタの基板側コネクタへの挿抜を防止することができる。
【００１２】
また本発明は、連通孔部が、コネクタ蓋部が閉じられた状態で基板側コネクタに挿着されたケーブル側コネクタからケーブルが延出する側のケーブル側コネクタの端部周辺に開口していることを特徴とする。
【００１３】
この発明によれば、連通孔部は、コネクタ蓋部が閉じられた状態で基板側コネクタに挿着されたケーブル側コネクタからケーブルが延出する側のケーブル側コネクタの端部周辺に開口していることにより、ケーブルを無理なく連通孔部に通して外部に延ばすことができる。このため、コネクタ蓋部の内側にケーブルを無理なく配置することができ、ケーブルの損傷を未然に防止することができる。
【００１４】
また本発明は、コネクタ蓋部が、結合手段（例えば、実施形態におけるカシメ部材５７）を介してケース蓋部に固定されることを特徴とする。
【００１５】
この発明によれば、コネクタ蓋部を、結合手段を介してケース蓋部に固定することにより、結合手段によってケース蓋部がケース本体部に固定されると、この固定状態を壊してケース蓋部をケース本体部から取り外さなければ、コネクタの挿抜操作を行うことができない。このため、高い抑止力を有して基板側コネクタに繋がるケーブルの不正交換を防止することができる。
【発明の効果】
【００１６】
本発明によれば、ケース蓋部に基板側コネクタを覆うコネクタ蓋部を回動自在に設け、該コネクタ蓋部は、基板側コネクタに挿着されたケーブル側コネクタを囲む囲繞部と、コネクタ蓋部の側板に開口して囲繞部に連通してケーブル側コネクタ及びこれから延びるケーブルを通す連通孔部とを有し、コネクタ蓋部を結合手段を介してケース蓋部に固定することにより、ケーブル側コネクタを介して回路基板に接続されるハーネスの不正交換を防止することができる基板ケースを提供することができる。
【発明を実施するための最良の形態】
【００１７】
以下、本発明に係わる基板ケースの好ましい実施の形態を図１から図４に基づいて説明する。本実施の形態は、基板ケースを、遊技機の一例であるスロットマシンに搭載した場合について説明する。先ず、本発明の基板ケースを説明する前に、これを搭載したスロットマシンについて説明する。
【００１８】
スロットマシン１は、図１（正面図）及び図２（斜視図）に示すように、遊技者に面するフロントドア１０と、フロントドア１０を開閉自在に取り付けた筐体３０とを有して構成される。フロントドア１０は、矩形状の枠組みに機械的に強固な硬質プラスチック製のパネル部１１を取り付けて構成され、パネル部１１の上部には、演出用の上部ランプ１１ａ、スピーカを備えた放音部１１ｂ，１１ｃ、液晶ディスプレイ等で形成された演出表示装置１１ｄが配設されている。パネル部１１の中間部には、透明な硬質プラスチック板で形成された略長方形状の透過窓ＷＤと演出用ランプ１１ｅ，１１ｆが設けられ、筐体３０内に設けられたリール装置３１のリールＲ１、Ｒ２、Ｒ３を、遊技者が透過窓ＷＤを介して見ることが可能となっている。
【００１９】
パネル部１１の中間部の下側には、遊技者が操作するための操作パネル部１６が設けられ、この操作パネル部１６には各種のボタン等（メダル投入部ＭＤ、ベットボタンＢ１，Ｂ２，Ｂ３、スタートレバーＳＴ、ストップボタンＳＰ１，ＳＰ２，ＳＰ３、精算ボタンＭＲ）が設けられている。
【００２０】
操作パネル部１６の右端には、フロントドア１０を開錠するための鍵穴ＫＹが設けられ、鍵穴ＫＹに正規の鍵を挿入して開錠操作すると、フロントドア１０を筐体３０から開くことが可能となっている。
【００２１】
パネル部１１の下部には、本スロットマシン１のゲーム内容を紹介等するための絵（図示略）が描かれるとともに、遊技メダルを払い出すための排出口１１ｇ、メダル受皿１１ｈ、放音部１１ｉが設けられている。
【００２２】
フロントドア１０の裏面側の上部には、前述した放音部１１ｂ，１１ｃのスピーカＳＲ，ＳＬが設けられ、スピーカＳＲ，ＳＬの間には前述した演出表示装置１１ｄが設けられている。演出表示装置１１ｄの下方には、透過窓ＷＤを形成する略長方形状の枠体１７が取り付けられており、この枠体１７の下方には、メダル投入部ＭＤより投入された投入物が正規の遊技メダルか否かを判別して振り分けるセレクト機構Ｇ０と、セレクト機構Ｇ０で振り分けられた遊技メダルを筐体３０側に設けられたホッパ装置ＨＰへ案内するガイド部材Ｇ１と、セレクト機構Ｇ０で振り分けられた異物を排出口１１ｇへ案内するガイド部材Ｇ２と、ホッパ装置ＨＰから出力される払い出し用のメダルを排出口１１ｇへ案内するガイド部材Ｇ３とが設けられている。排出口１１ｇの近傍には、前述した放音部１１ｉを構成するスピーカＳＷが取り付けられている。
【００２３】
枠体１７とセレクト機構Ｇ０との間には、長尺状の電気回路基板で形成された中央表示基板１９が取り付けられ、この中央表示基板１９には、前述した操作パネル部１６に設けられているベットボタンＢ１，Ｂ２，Ｂ３と、スタートレバーＳＴと、ストップボタンＳＰ１，ＳＰ２，ＳＰ３等が電気的に配線接続されている。これらのボタンＢ１，Ｂ２，Ｂ３，ＳＴ，ＳＰ１，ＳＰ２，ＳＰ３の出力信号はハーネスを介して筐体３０に設けられたメイン制御基板３３に転送される。
【００２４】
筐体３０内には、主電源装置ＰＷＵと、ホッパ装置ＨＰから溢れた遊技メダルを収容する補助貯留部ＳＨＰが設けられる他、前述したリール装置３１が設けられている。主電源装置ＰＷＵの側面には電源装置基板３４が取り付けられ、リール装置３１の上端には回胴装置基板３５が取り付けられ、リール装置３１の上方には前述したメイン制御基板３３が取り付けられている。メイン制御基板３３は、半導体メモリ（ＲＯＭ）とマイクロプロセッサ（ＭＰＵ）等が搭載されており、このマイクロプロセッサ（ＭＰＵ）が、半導体メモリ（ＲＯＭ）に予め記憶されているシステムプログラムとスロットマシンゲーム用のプログラムを実行し、電源装置基板３４、回胴装置基板３５及び後述するサブ制御基板２５に所定の指令を行って夫々に分散制御を行わせることにより、本スロットマシン１全体を集中制御する。
【００２５】
演出表示装置１１ｄの裏面側には、電気回路基板で形成されたサブ制御基板２５が設けられている。このサブ制御基板２５は、演出表示装置１１ｄによって表示される演出画像の制御を行うマイクロプロセッサと、このマイクロプロセッサが実行するコンピュータプログラム及び演出用データを記憶した読み出し専用メモリ（ＲＯＭ）と、演出処理の実行中に生じる各種データを一時的に記憶するランダムアクセスメモリ（ＲＡＭ）等を備えた電気回路が搭載されている。そして、このサブ制御基板２５は、メイン制御基板３３からの制御信号に従って、上部ランプ１１ａ、演出用ランプ１１ｅ，１１ｆとスピーカＳＲ、ＳＬ、ＳＷを駆動して遊技者の視覚及び聴覚に訴える演出を行うと共に、演出表示装置１１ｄを制御して遊技内容に応じた演出表示を行わせる。
【００２６】
前述したメイン制御基板３３は、不正行為を防止するための基板ケース４０内に収容されており、この基板ケース４０ごと一体として筐体３０の裏板３０ａに着脱可能に取り付けられている。図では、メイン制御基板に実装されたコネクタ及びこのコネクタに接続されたハーネス等の記載を省略して表示している。
【００２７】
基板ケース４０は、図３（ａ）（斜視図）に示すように、前述した筐体３０の裏板に取り付けられるケース本体部４１と、このケース本体部４１に装着されるケース蓋部５０とを備える。ケース本体部４１及びケース蓋部５０は、合成樹脂材料製であり、一体成形によって形成される。ケース本体部４１は、表面側が開口して略矩形箱型状に形成されて、メイン制御基板３３を搭載して固定する。
【００２８】
一方、ケース蓋部５０は、ケース本体部４１の開口する表面側を覆うようにして配置される天板部５１に、この外周を囲むように延びる蓋側周壁部５２を設けて、略矩形箱型状に形成されている。ケース蓋部５０の一方側の端部には段部５３が形成されている。この段部５３の天板部５３ａには、ケース本体部４１にケース蓋部５０を装着して形成されるケース内部に収容されたメイン制御基板３３に実装された基板側コネクタ３７を挿通するコネクタ挿抜孔部５３ｂが形成されている。つまり、基板側コネクタ３７はコネクタ挿抜孔部５３ｂを介して露出している。
【００２９】
ケース蓋部５０の段部５３には、ケース蓋部５０の側部に回動自在に取り付けられてコネクタ挿抜孔部５３ｂから露出する基板側コネクタ３７を覆うコネクタ蓋部６０が取り付けられている。コネクタ蓋部６０は、図４（ａ）（表側斜視図）及び（ｂ）（裏側斜視図）に示すように、矩形状の天板部６０ａと、天板部６０ａの先端側及び幅方向の両端部に形成されて天板部６０ａの周縁部から下方へ延びる蓋周壁部６０ｂと、天板部６０ａの基端部に形成された係合部６０ｃとを有してなる。
【００３０】
天板部６０ａの先端側の幅方向の隅部には、カシメ部材を装着する挿着孔６０ｄが形成されており、これらの挿着孔６０ｄにカシメ部材を挿入して回動すると、カシメ部材によってコネクタ蓋部６０を前述したケース蓋部５０に固定状態で結合する。このため、カシメ部材によってコネクタ蓋部６０がケース蓋部５０に固定されると、カシメ部材を破断等しない限り、コネクタ蓋部６０をケース蓋部５０から分離させることができない。
【００３１】
天板部６０ａの先端側には、上方へ突出して平面視において矩形状の突出部６２が形成されている。突出部６２は有頂箱状に形成されて先端側及び裏側が開口している。突出部６２の頂部は天板部６０ａに沿って延びるとともに、前述した基板側コネクタ３７に挿着されるケーブル側コネクタ３８に対向する位置に設けられている。また、突出部６２の天板部６２ａの周縁から裏側へ延びる側板部６２ｂは平面視において基板側コネクタに挿着されたケーブル側コネクタ３８を囲む位置に形成されている。
【００３２】
この側板部６２ｂは、コネクタ蓋部６０の天板部６０ａを超えてコネクタ蓋部６０の裏側に延出して、基板側コネクタに挿着されたケーブル側コネクタ３８を囲む囲繞部６４を形成している。囲繞部６４は先端側に開口部６４ａを形成し、この開口部６４ａは前述した突出部６２の先端側の開口部６２ｃと一体となって１つの連通孔部６５を形成している。連通孔部６５の開口部は矩形状であり、ケーブル側コネクタ３８及びこれから延びるハーネスＨを通すことができる大きさを有する。連通孔部６５は、コネクタ蓋部６０が閉じられた状態で基板側コネクタに挿着されたケーブル側コネクタ３８からハーネスＨが延出する側のケーブル側コネクタ３８の端部周辺に設けられている。
【００３３】
次に、基板ケース４０内に収容されたメイン制御基板３３に実装された基板側コネクタ３７へのケーブル側コネクタ３８の挿抜操作について説明する。先ず、ケーブル側コネクタ３８の挿着操作について説明する。図３（ａ）に示すように、コネクタ蓋部６０を開けた状態にして基板側コネクタ３７を露出させる。そして、ケーブル側コネクタ３８及びこれに繋がるハーネスＨを連通孔部６５に通して囲繞部６４の外側に移動させる。そして、図３（ｂ）（斜視図）に示すように、ケーブル側コネクタ３８を基板側コネクタ３７に挿着し、コネクタ蓋部６０を閉じる方向（矢印Ａ方向）に回動させる。このとき、ハーネスＨがコネクタ蓋部６０と段部５３との間の空間部内で折れ曲がらないように、連通孔部６５から延びるハーネスＨを引っ張りながらコネクタ蓋部６０を回動させる。そして、図３（ｃ）（斜視図）に示すように、コネクタ蓋部６０を閉じて、カシメ部材５７によってコネクタ蓋部６０をケーブル蓋部５０に固定する。
【００３４】
このように基板側コネクタ３７にケーブル側コネクタ３８を挿着した状態でコネクタ蓋部６０をケーブル蓋部５０に固定すると、図３（ｃ），図４（ａ），図４（ｂ）に示すように、ケーブル側コネクタ３８は囲繞部６４及び突出部６２の天板部６２ａによって囲まれる。このため、ケーブル側コネクタ３８を基板側コネクタ３７から抜脱しようとすると、ケーブル側コネクタ３８が囲繞部６４や天板部６２ａのいずれかの部分に当接して、ケーブル側コネクタ３８の抜脱が規制される。
【００３５】
また、基板側コネクタ３７にケーブル側コネクタ３８が挿着されていない状態であってコネクタ蓋部６０がケーブル蓋部５０に固定されているときに、ケーブル側コネクタ３８を基板側コネクタ３７に挿着しようとすると、ケーブル側コネクタ３８を連通孔部６５に挿入することができるが、ケーブル側コネクタ３８が囲繞部６４や天板部６２ａのいずれかの部分に当接してケーブル側コネクタ３８の挿着が規制される。
【００３６】
つまり、一旦ケース蓋部５０にコネクタ蓋部６０を固定すると、コネクタ蓋部６０の固定状態を壊さなければ、基板側コネクタ３７に接続されたケーブル側コネクタ３８を抜脱することができず、また基板ケース４０の外側から基板側コネクタ３７にケーブル側コネクタ３８を接続することもできない。このため、高い抑止力を有して基板側コネクタ３７に接続されたケーブル側コネクタ３８から延びるハーネスＨの不正交換を防止することができる。
【００３７】
また連通孔部６５は、コネクタ蓋部６０が閉じられた状態で基板側コネクタ３７に挿着されたケーブル側コネクタ３８からハーネスＨが延出する側の端部周辺に開口しているので、ハ−ネスＨを無理なく連通孔部６５から外部に延ばすことができる。このため、コネクタ蓋部６０の内側にハーネスＨを無理なく配置することができ、ハーネスＨの損傷を未然に防止することができる。
【００３８】
また、カシメ部材５７によってコネクタ蓋部６０が固定されていなければ、ケーブル側コネクタ３８を抜脱する際に、ケース蓋部５０をケース本体部４１から取り外すことなく、コネクタ蓋部６０を回動させるだけでケーブル側コネクタ３８の挿抜操作を行うことができる。このため、組み立て作業の作業性を向上させることができる。
【００３９】
なお、前述した実施例では、メイン制御基板３３を収容した基板ケース４０を例に説明したが、サブ制御基板２５や回胴装置基板３５等を収容する基板ケースについても、メイン制御基板３３を収容した基板ケース４０と同様の構成にすることで、これらの基板に繋がるハーネスの不正交換を高い抑止力で防止することができる。
【００４０】
またコネクタ蓋部６０は不正改造を防止する観点から透明な材料で形成されることが好ましいが、いわゆる色つきの透明色にしてもよい。このようにコネクタ蓋部６０を透明な材料で形成することで、基板側コネクタ３７に挿着されているケーブル側コネクタ３８が囲繞部６４によって囲まれていることが容易に確認できるので、ケーブル側コネクタ３８の挿抜が困難であることがわかり、ハーネスＨの不正交換行為に対してより高い抑止力を発揮することができる。
【００４１】
また前述した実施例では、連通孔部６５が矩形状である場合を例にして説明したが、ケーブル側コネクタ３８及びハーネスＨの通過を許容するものであれば、円形、三角形、楕円形等でもよい。
【００４２】
また、前述した実施例では、基板側コネクタ３７に対するケーブル側コネクタ３８の挿抜方向はメイン制御基板３３に対して略直交する方向であるが、この挿抜方向がメイン制御基板３３に沿う方向になるように基板側コネクタ３７をメイン制御基板３３に実装してケーブル側コネクタ３８を挿着するようにしてもよい。この場合には、連通孔部６５を天板部６０ａに設ける。
【００４３】
さらに前述した実施例では、スロットマシン１を例にしたが、パチンコやゲームセンタで用いられているゲーム機などを対象にしてもよい。
【図面の簡単な説明】
【００４４】
【図１】本発明の一実施の形態に係わる基板ケースを搭載したスロットマシンの正面図を示す。
【図２】このスロットマシンのフロントドアを開けた状態におけるフロントドア及び筐体の内部構造図を示す。
【図３】基板ケースの斜視図を示し、同図（ａ）はコネクタ蓋部を開けた状態の基板ケースを示し、同図（ｂ）はケーブル側コネクタを挿着した基板ケースを示し、同図（ｃ）はケーブル側コネクタを挿着してコネクタ蓋部を閉じた状態の基板ケースを示す。
【図４】コネクタ蓋部を示し、同図（ａ）はコネクタ蓋部の表側の斜視図を示し、同図（ｂ）はコネクタ蓋部の裏側の斜視図を示す。
【図５】従来の基板側コネクタ及びこれに接続されるケーブル側コネクタの斜視図を示す。
【符号の説明】
【００４５】
１  スロットマシン（遊技機）
３３  メイン制御基板（回路基板）
３７  基板側コネクタ
４０  基板ケース
４１  ケース本体部
５０  ケース蓋部
５３ｂ  コネクタ挿抜孔部
５７  カシメ部材（結合手段）
６０  コネクタ蓋部
６０ａ  天板部（対向部）
６４  囲繞部
６５  連通孔部
Ｈ  ハーネス（ケーブル）
【図１】
2006263259.tif 000003
【図２】
2006263259.tif 000004
【図３】
2006263259.tif 000005
【図４】
2006263259.tif 000006
【図５】
2006263259.tif 000007